(57)【特許請求の範囲】
【請求項１】
流体取扱装置をカテーテル（１２）に取付けるためのアダプターであって、
基端部、末端部、及び開口する貫通した通路（２０）を有する本体であって、前記通路が、カテーテル（１２）を受け入れるためのシート（２２）と、該カテーテルシートより末端側のキャビティ（２４）を含んでいる本体（１４）と、
カテーテルが前記カテーテルシート（２２）に位置されたとき、カテーテル（１２）の周りに実質的に液密なシールを形成するために前記キャビティ（２４）に配置されたガスケット（２６）と、
ガスケット（２６）を覆って本体（１４）の末端部に配置されるリテーナ（３０）であって、カテーテルが前記ガスケットと前記カテーテルシートとに係合すべく前記通路の中に通過するのを許容するため前記通路（２０）と実質的に整列された貫通した開口を有し、カテーテルに係合し、前記カテーテルシート上へのカテーテル（１２）の配置によって基端側に撓まされるように寸法付け及び形状付けされた、前記開口の中への複数の可撓性突出部（３４）を有するリテーナ（３０）と、そして
前記本体（１４）の前記末端部の前記リテーナ（３０）を覆って配置され前記リテーナに対して軸線方向における同一位置で回転可能なカラー（３６）であって、前記通路（２０）内へのカテーテルの配置を許容すべく前記通路（２０）と実質的に整列された開口ポート（３８）を有し、前記本体（１４）に関し第１の位置にあり、それによって液体取扱装置へ取付けるためにカテーテル（１２）を前記アダプター内に保持するとき、前記可撓性突出部（３４）に係合しかつ前記リテーナ上で可撓性突出部の末端側への撓みを防止すべく配置された複数の隆起部（４０）を有するカラー（３６）と、を備え、
前記隆起部（４０）は、前記カラー（３６）が本体（１４）に関して第２の位置に回転されたとき、前記可撓性突出部（３４）と係合しないように配置され、それによって前記突出部の末端側への撓みと前記アダプターからのカテーテルの引き抜きとを許容することを特徴とするアダプター。
【請求項２】
請求項１記載のアダプターにおいて、前記本体の前記基端部は、流体取扱装置への前記アダプターの取付けのために、雌形状の適合部品をさらに備えることを特徴とするアダプター。
【請求項３】
請求項１記載のアダプターにおいて、前記ガスケットは、弾性を有する熱可塑性部材によって形成されることを特徴とするアダプター。
【請求項４】
請求項３記載のアダプターにおいて、前記弾性を有する熱可塑性部材は、ショアＡ型硬度計約４５と７０の間の硬度を有し、天然ゴム、シリコン熱可塑性及び、エチレンプロピレンジエンモノマー（ethylene propylene diene monomer(EPDM)）からなるグループから選択されることを特徴とするアダプター。
【請求項５】
請求項４記載のアダプターおいて、前記弾性を有する部材は、金属材がＯリングの形に加工されたものであることを特徴とするアダプター。
【請求項６】
請求項１記載のアダプターにおいて、前記リテーナは、前記開口に整列された４個の突出部を有することを特徴とするアダプター。
【請求項７】
請求項１記載のアダプターにおいて、前記リテーナは、前記Ｏリングに同様に整列された３個の突出部を有することを特徴とするアダプター。
【請求項８】
請求項１記載のアダプターにおいて、前記リテーナ上の前記突出部は、前記リテーナの中の前記開口に突出する自由端と固定端とをそれぞれ有し、鋭利の端縁部を形成する前記自由端は、前記カテーテルシートへの前記通路の中にカテーテルが配置されたとき、カテーテルに係合するよう配置され、前記カテーテルシート上へ向けてカテーテルを前記通路内に挿入するための力は、前記第１の位置に前記カラーが位置するとき通路からカテーテルを引き抜くための力より小さいことを特徴とするアダプター。
【請求項９】
請求項１記載のアダプターにおいて、前記本体及び前記カラーは、ポリスチレン，ポリプロピレン，ポリカーボネート，ポリアミド，ポリアクリレート，ポリアセタール及びポリスルホンからなるグループより選択された熱可塑性部材からそれぞれ構成されることを特徴とするアダプター。
【請求項１０】
請求項９記載のアダプターにおいて、前記本体は、カテーテルシートへのカテーテルの適正な配置を医療従事者が視認することができるように、実質的に透明な素材によって形成されることを特徴とするアダプター。
【発明の詳細な説明】
【０００１】
【発明の属する技術分野】
本発明は、一般にカテーテルの分野に関し、より詳しくは、カテーテルの配管に液体取扱装置を取付けるためのアダプターに関する。
【０００２】
【従来の技術】
カテーテルは、患者の身体の外側あるいは内側へと液体を送給するために使用される細長く中空のチューブである。本明細書に記載された装置において、“基端”という用語は、医療従事者に向かうと共に患者から離れる方向を意味し、“末端”という用語は、医療従事者から離れると共に患者に向かう方向を意味する。
【０００３】
現在、医療業務においてはカテーテルの多数の形式が用いられている。
あるカテーテルは、それら自体を導入するために十分な強度と剛性を有しており、尿道カテーテルは、この形式のカテーテルの例である。他のカテーテルの形式は、鋭利な導入用ニードルの外側に位置され、穿刺とカテーテルの配置のための案内をもたらすのにニードルを用いながら、患者の体内へとニードル上を滑り落とされ、多くの静脈カテーテルがこの形式である。
【０００４】
この明細書に記載のものはさらに他の形式に関するものであり、鋭利な導入用ニードルの孔を通して患者に導入されるカテーテルである。ニードル通過形カテーテルは、導入用ニードルによってさらに２つの形式に分かれる。ニードル通過形カテーテルが流体取扱装置の取付けのための固定ハブを有するときは、その挿入用ニードルは、カテーテルの基端部から滑り出されることができない。固定ハブを有するカテーテルは、分割可能な導入用ニードルと共に用いられるか、あるいはまたニードルがカテーテル上に残されねばならない。
【０００５】
医療業務におけるカテーテルの重要な適用例は、しばしば麻酔剤あるいは鎮痛剤などの薬剤を、患者の脊椎に注入するための長尺なカテーテルの使用である。この用途において、長尺(５０〜７５ｃｍ)な可撓性を有するカテーテルチューブ(一般に、１９−２１ゲージ)が、導入用ニードルの孔を通して患者の硬膜外の空間に導入される。
【０００６】
これらの脊椎への麻酔処置は、“エピデュラル( epidural)”という一般名称で、病院の業務において広く一般に使用されている。一例として、エピデュラル麻酔剤の使用は、産科の業務において説明がなされている。エピデュラル麻酔の実施は、多くの他の形式の処置でも有用である。
【０００７】
１つの代表的な産科の処置において、epiduralカテーテルは、患者の陣痛の初期にしばしば患者を横たえた状態で配置され、それから患者は分娩の休息のために膝が高められてあお向けにされる。患者があお向けにされてから、その導入ニードルは通常は再度移動されなければならない。多くのエピデュアルカテーテルは、固定されたハブを持たないため、カテーテルから基端側へと滑り落ちたり、取り外されたりすることを許容している。一旦ニードルが取り外されると、注射器のような流体取扱装置がカテーテルに装着されても良いように、カテーテルへとアダプターを取付けることが必要となる。
【０００８】
Tuohy-Borstアダプターは、この適用のために開発されたものである。
【０００９】
アダプターは、この時、しばしば患者の身体にテープによって固定されている。Tuohy-Borstアダプターは、雄型のルアー嵌合部を有する流体取扱装置が、小径(一般に、１９−２１ gauge:  Nominal Outside Diameterは、約１．１０ｍｍ［１９ゲージ］から約０．８ｍｍ［２１ ゲージ］)の可撓性を有するカテーテルチューブに取付けられることを許容している。
【００１０】
当初のTuohy-Borstアダプターは、金属によって形成されると共に、再使用が考慮されていた。当初のTuohy-Borstの変形物は、いまや熱可塑性物質によって形成されたものが入手可能である。その熱可塑性アダプターは、一般に無菌状態にて供給され、１人用でありかつ使い捨て用として考慮されている。そのTuohy-Borst形式のアダプターの全ては、本体部に含まれた弾性プラグを圧縮するために、カテーテルの周りにねじ込まれているねじ付きカラーにある程度依存している。
【００１１】
カテーテルの周囲のシールは、プラグへカラーをねじ込むことによって弾性プラグの先端をカテーテルチューブの周囲のキャビティに圧縮させることにより形成する。これらのアダプターの多くは、不用意に過剰なねじの締め付けを行なうこと及びカテーテルの穴を閉塞することは、医療従事者が行ない易いことである。この他、もしカラーが十分に締め付けられなかっとすると、そのアダプターは漏洩あるいはカテーテルチューブからの脱落さえも生じるであろう。
【００１２】
一般に入手可能なアダプターの多くは円筒状であり、解放可能に把持する機構を含むと共に、カテーテルにアダプターを固定するために、本体の一部に関し少なくとも約１／２のカラーの回転を必要とされる。B．Braun，Bethlehem, PA,から入手可能で広く使用されているアダプターは、カラーと本体部を有している。そのBraun adapterは、そのねじの初期の係合から、本体部に関してカラーのほぼ４回転が可能である。加えて、もしこのB. Braun アダプターのカラーが本体部から完全にねじが外されると、それは分離し、そしてアダプターの分解を許容することになる。
【００１３】
他の広く使用されているアダプターは、ニュージャージー州Franklin LakesのBecton Dickinson and Companyから入手可能で再使用可能なTuohy-Borstの後に続く使い捨てのものである。この後に続くアダプターのカラーは、本体部に関しカラーの約２回転半の後に、本体部に完全に着座される。加えて、B . Braun アダプターとは異なり、完全にねじが外されたとき簡単に脱落しないようにカラーが本体に保持されるものである。
【００１４】
他の入手可能なアダプターは、米国特許第5,053,015号及び同第5,226,898号に開示されているように、外側にあるラチェットを有すると共に、医療従事者の操作を容易にするために、本体とカラーとの双方に小さなウィングを含み、そして、ウィングが整列されたとき、アダプターがチューブに固定されていることを表示する。
【００１５】
【発明が解決しようとする課題】
参照した特許に開示されたアダプターが患者の身体に固定されたとき、その小さなウィングは患者に不快感を与える原因となり、加えて、そのアダプターは、手袋をはめた医療従事者にとって、時には取扱いが困難なものとなるであろう。
【００１６】
米国特許第5,053,015号及び同第5,226,898号において開示されたカテーテルアダプター以外の入手可能なアダプターの殆どは、本体に関してのカラーの締結程度の完全性についてより多くの指示を医療従事者に提供しておらず、そして、カテーテルチューブがアダプターの中へ挿入されるようにそのカラーが緩められているか、あるいはまた、カラーが本体に部分的にねじ込まれ、アダプター本体内にカテーテルを挿入することを困難なものとなっているかを視覚的に識別することは容易ではない。
【００１７】
手術室での時間は高価であり、加えて、多くの処置は時間的制約の下に行なわれるが、それは潜在的に患者の満足度に影響することである。結果として、医療従事者とそれらのサポートスタッフは、設備の標準的な配置を伴う反復的な処置を確立し、処置の迅速な実行を容易にするために、全力を注いでいる。もし、医療従事者が、アダプターをカテーテルチューブに取付けることを試み、アダプターが部分的にねじ込まれているのが原因で困難を伴うとすれば余分な時間が必要とされる。もし、医療従事者が、不用意にアダプターのカラーを過剰に締め付け、穴を閉塞したとすると、彼は、カテーテルが塞がれたか、あるいは捩れが生じたと思うであろうし、それを取外して配置を繰り返さねばならない。処置を繰り返すことは、患者に追加の危険を与えるだけでなく、要求される時間をかなり増大させる。
【００１８】
もし、アダプターが十分に締め付けられなかったとすると、それは脱落が生じたり、処置が長引いた際、漏洩が生じたりする可能性があり、それによって患者への不適切な薬剤投与が発生することとなる。もし、手袋をつけた医療従事者がアダプターを取扱うのに困難性を有し、そしてそれを落としたとすると、他のアダプターを用意する間に多くの時間がかかるであろうし、アダプターが処置キットの一部である場合、他のアダプターを単に得るために、他の全ての部品を備えたキットが開けられる必要があり、かなりのコスト増大を伴う。
【００１９】
もし、医療従事者が、カテーテルの基端部をそれが完全に着座されるまで、アダプター内に向けて単に挿入させることができ、実質的に液密となる接続が生じ、かつ所望の液体取扱装置を取付けること以外に、医療従事者のさらなる動作が要求されないアダプターが入手可能であるならば、カテーテルへの液体取扱装置の取付け技術は進歩されよう。
【００２０】
【課題を解決するための手段】
そのようなアダプター及びその使用方法が以下に開示される。
本発明のアダプターは、流体取扱装置をカテーテルに取付けるためのアダプターであって、基端部、末端部、及び開口する貫通した通路を有する本体を備える。その通路は、カテーテルを受け入れるためのシートと、該カテーテルシートより末端側のキャビティを含む。カテーテルが前記カテーテルシートに位置されたとき、カテーテルの周りに実質的なシールを形成するために前記キャビティに配置されたガスケットを備える。
【００２１】
前記アダプターは、さらにリテーナを有しており、そのリテーナは、ガスケットを覆って本体の基端部に配置され、前記通路と実質的に整列された貫通した開口を有し、その開口は、ガスケットとカテーテルシートとに係合すべく前記通路の中に通過するのを許容するに十分である。リテーナは、カテーテルに係合し、前記カテーテルシートへの配置によって基端側に撓まされるように寸法付け及び形状付けされた、前記開口の中への複数の可撓性突出部を有する。
【００２２】
本体の末端部を覆って配置された回転可能なカラーがあり、このカラーは、前記通路内へのカテーテルの配置を許容すべく前記通路と実質的に整列された開口ポートを有する。そのカラーは前記本体に関し第１の位置にあり、それによって液体取扱装置へ取り付けるためにカテーテルを前記アダプター内に保持する時、前記可撓性突出部に係合し、かつ前記リテーナ上で可撓性突出部の末端側への撓みを防止すべく配置された複数の隆起部を有する。
【００２３】
前記隆起部は、前記カラーが本体に対して第２の位置に回転されたとき、前記可撓性突出部と係合しないように配置され、それによって前記突出部の末端側への撓みと前記アダプターからのカテーテルの引き抜きとを許容するものである。
【００２４】
【作用】
本発明のアダプターは、医療従事者に単純かつ感覚的に使用できるようにするための装置である。すなわち、医療従事者がカテーテルの基端部をアダプター内に挿入し、それから液密シールを実現するためにねじ付きカラーを数回回転させて締め付けることを要求する現在のアダプターと異なり、本発明のアダプターを使用する医療従事者は、アダプター内にカテーテルの基端部を単に挿入し、そして、カテーテルの基端部がカテーテルシート上に位置されるまで、それを基端部側に進める。
その時、医療従事者は、薬剤の投与のために、所望の流体取扱装置をカテーテルへと取付けることができるであろう。さらにその他の動作は、液密シールを実現するために必要としない。
【００２５】
【発明の実施の形態】
本発明は、多くの異なる形の実施形態によって満足されるものであるが、この開示内容は、本発明の原理の例示として考慮され、かつ図示された実施形態に本発明の範囲を限定することが意図されていない、という理解の下に本発明の実施形態が図示され、かつ詳細に説明されている。
【００２６】
発明の範囲は、添付の請求項及びそれらの均等物によって決められる。
【００２７】
この開示において、“基端”という用語は、医療従事者に最も近い装置の部分を意味し、“末端”という用語は、医療従事者から離れた装置の部分を意味する。
【００２８】
図１ないし図５を参照するに、流体取扱装置をカテーテル１２に取付けるために有用な本発明のアダプター１０は、基端部１６、末端部１８及び貫通して開口した通路２０を有する本体１４を含んでいる。
通路２０は、カテーテル１２を受け入れるための座部２２と、そのカテーテルシート２２より末端側にあるキャビティ２４を含んでいる。カテーテル１２がカテーテルシート２２に配置されるとき、カテーテル１２周りに実質的に液密な封止を形成するためにキャビティ２４の中にガスケット２６が配置されている。
【００２９】
アダプター１０は、ガスケット２６を覆い本体１４の末端部１８に配置されたリテーナ３０を含み、該リテーナ３０は、通路２０と実質的に整列され、それを貫通する開口３２を備えている。開口３２は、カテーテル１２が通路２０の中に通り、ガスケット２６及びカテーテルシート２２に係合するのを許容するに十分なものとなっている。
【００３０】
リテーナ３０は、開口部３２に向けて複数の可撓性突出部３４を有し、該突出部３４はカテーテル１２に係合し、カテーテルシート２２へのカテーテル１２の配置によって基端側に撓まされるように寸法付けかつ形状付けられている。
本体１４の末端部１８上のリテーナ３０を覆うように配置された回転可能なカラー３６があり、通路内へのカテーテル１２の配置を許容するために、通路２０と実質的に整列されて貫通する開口したポート３８を備えている。
好ましくは、ポート３８を通る通路２０ヘのカテーテル１２の配置を容易にするため、開口したポート３８は、テーパを有するポート領域３９を有している。
【００３１】
カラー３６は、図３に最も明らかに示されるように、カラー３６が本体１４に関して第１の位置にあり、かくて、流体取扱装置への取り付けのためアダプター内にカテーテル１２を保持するとき、リテーナ３０の可撓性突出部３４に係合し、その可撓性突出部の末端側への撓みを防止するために配置された複数の基端側への隆起部４０を有している。
加えて、カラー３６が第２の位置へ回転させられるとき、図４及び図５に最も明らかに示されるように、本体１４に関し、それによってアダプター１０からのカテーテル１２の引き抜きと突出部３４の末端側への撓みを許容するために、隆起部４０は、可撓性突出部３４と係合しないよう配置される。
【００３２】
基端部１６は、好ましくは注射器のような流体取扱装置の取り付けを容易にするため雌の嵌合物１７を備える。
ガスケットは、好ましくは、弾性に富む弾性部材によって形成する。
【００３３】
適当な弾性部材としては、天然ゴム、シリコン弾性部材、ethylene propylene diene monomer (ＥＰＤＭ)、及びその他同等のものを含むが、これに限定されるものではない。好ましくは、材料は、アダプターとカテーテルとの間に実質的に液密状態を形成するために適した厚さと内径を有するＯリングの形に形成され、シェアＡ型硬度計による約４５と７０の間の硬度に選択されている。
【００３４】
図５ａと図５ｂとを参照するに、多数の突出部３４を有するリテーナ３０は、熱可塑性プラスチック材から構成されるか、あるいはまた可撓性を有する金属部材によって構成しても良く、好ましくは、３個または４個の突出部３４を設ける。
突出部３４は、固定端４２と自由端４４とを有し、それは、アダプター１０の中に配置されるときカテーテル１２を係合させるために鋭利のエッジ形状４６に形成されることが好ましい。また突出部３４は、カテーテルがカテーテルシート２２へ向けて基端側に移動されたとき、それらが基端側に屈曲し、かつカテーテル１２を係合させるように寸法付け及び形状付けがなされているが、カテーテルの壁面部に突き刺さったり、あるいはその穴を閉塞したりしないようになっている。
【００３５】
リテーナ３０を形成するための適当な部材は、ポリスチレン、ポリカーボネート、ポリプロピレン、ポリアミド、ポリアクリーレート、ポリアセタール、ポリスルホン等のような熱可塑性の部材を含むものであるが、これらに限定されるものではない。リテーナ３０を形成するための金属製の適当な部材は、医療での使用に適する他の可撓性を有する金属製の素材を含んでいるが、しかしこれに限定されるものではない。
金属製部材が選択されたとき、リテーナ３０は、型押し機、電子装置、ｅｄｍまたは、薄肉で可撓性を有する金属部品を形成するために適した他の金属加工技術によって形成しても良い。
リテーナ３０は、メカニカルな取付構造によって本体１４に確固に取付けられることが好ましく、突出リング部４７と環状のリテーナ３０の環状キャビティ４８との相互関係を含むが、これに限定されるものではない。
【００３６】
加えて、接着材による接着、ソルベントボンディング（solvent bonding）、ヒートステイキング（heat staking）、及び超音波溶接のようなボンディング技術は、それらいずれかの技術、あるいはメカニカルな接合取付構造との組合わせによって使用することができる。
リテーナ３０は、さらに、本体１４にカラー３６を保持し、かつ本体１４に関しカラー３６の回転を可能とするために、カラー３６上の縁部５２によって係合されるようにした肩部５０を形成している。
【００３７】
図３，図４，図５ａ及び図５ｂを参照するに、カラー３６は、多数の基端部側に突出する隆起部４０を有しており、この隆起部４０は、カラー３６が本体１４に関し第１の位置にあるとき、隆起部４０と同数の突起部３４と係合するように配設されている。
隆起部４０は、カラー３６が本体１４に関し第２の位置に保持された時点で、突出部３４に係合せず、それによって突出部が基端側へ撓むのを許容し、カテーテルがアダプターから末端側へと引き抜かれると共にカテーテルを解放するように配置される。この場合、図５ｂに示すように、ここには３個の突出部３４があり、カテーテルを解放するために、本体１４に関し約１／６回転される。同様に、図５ａに示すように４個の突出部３４があるとき、カラー３６は隆起部４０を突出部３４から解放するために約１／８回転される。
【００３８】
好ましくは、突出部３４と隆起部４０は、一旦、カラー３６が第１の位置から第２の位置へと本体１４に関して回転されると、第２の位置から第１の位置へのカラーの回転を実質的に防止すべく、互いに干渉するような寸法付け及び形状付けがなされている。この第１の位置へカラー３６を復帰させるのを阻止することは、アダプター１０がカテーテルへ再度装着されるのを確実に防止することに寄与すると共に、その発明のアダプターの再使用を実質的に有効に防止する。
【００３９】
本体１４は、ポリスチレン，ポリプロピレン，ポリカーボネート，ポリアミド，ポリアクリーレート，ポリアセタール，ポリスルホン等のような熱可塑性の素材によって形成しても良い。本体１４は、カテーテル１２がカテーテル座２２上の通路２０に配置されたとき、それが医療従事者に見えるように実質的に透明な素材から形成されている。
【００４０】
好ましくは、アダプター１０は、一部透視図によって図１に描かれているパッケージ１５の中に配置する。そのパッケージは、実質的に微生物に抵抗力のある素材から形成されており、微生物は、そのパッケージの中に密封されるとともに、微生物が内側で生存し得ないような状態にする薬剤にさらされている。パッケージ１５の中に配置されたとき、パッケージが開封されるとすぐに、アダプターが使用可能状態となるように、好ましくは、アダプター１０は、本体１４に関して第１の位置にカラー３６を有するものとする。
【００４１】
パッケージ１５を形成するための同様の素材は、不織布、熱可塑性フィルム、金属箔、及びこれらの合成材を含むが、これに限定されるものではない。
微生物を生存し得ない状態にするために同様の機能を有するものは、エチレンオキサイド、電離線等を含むものであるが、これに限定されるものではない。
【００４２】
パッケージ１５及びアダプター１０を作るために素材が選択されたとき、素材の互換性を保証するために、滅菌状態に対する配慮がなされなければならない。
カテーテル１２へとアダプター１０を取り付ける方法は、末端側に開口したポート３８へとカテーテル１２を配置することと、カテーテルの基端部がカテーテルシート２２に設置されるまで基端側にカテーテルを進めることを含む。
アダプター１０は、いまや医療従事者が液体操作装置を取付けられるよう用意されている。
【００４３】
図６，図７及び図８を参照するに、アダプターの他の実施形態が示され、これは図３，図４，図５ａ及び図５ｂに示されたアダプターの断面図と同一である。
この実施形態には、図１〜図５ｂに示される発明の実施形態と機能および構成において同様の要素がある。従って、実質的に類似した機能を実現し得る実質的に類似した構成要素は、図６，図７及び図８におけるそれら構成要素を識別するために添字“a”が付加されていることを除いて、図１〜図５ｂの実施形態の構成要素と同一番号が付されている。
【００４４】
図６，図７及び図８を参照するに、流体取扱装置をカテーテル１２ａに取付けるために有用な本発明のアダプター１０ａは、基端部１６ａ、末端部１８ａ及び貫通して開口した通路２０ａを有する本体１４ａを含んでいる。通路２０ａは、カテーテル１２を受け入れるための座部２２ａと、そのカテーテルシート２２ａより末端側にあるキャビティ２４ａとを含んでいる。
【００４５】
カテーテル１２ａがカテーテルシート２２ａに配置されるとき、カテーテル１２ａ周りに実質的に液密な封止を形成するためにキャビティ２４ａの中にガスケット２６ａが配置されている。アダプター１０ａは、ガスケット２６ａを覆い本体１４ａの末端部１８ａに配置されたリテーナ３０ａを含み、該リテーナ３０ａは、通路２０ａと実質的に整列され、それを貫通する開口３２ａを備えている。開口３２ａは、カテーテル１２ａが通路２０ａの中に通り、ガスケット２６ａ及びカテーテルシート２２ａに係合するのを許容するに十分なものとなっている。リテーナ３０ａは、開口部３２ａに向けて複数の可撓性突出部３４ａを有し、該突出部３４ａはカテーテル１２ａに係合し、カテーテルシート２２ａへのカテーテル１２ａの配置によって基端側に撓まされるように寸法付けかつ形状付けられている。
【００４６】
本体１４ａの末端部１８ａ上のリテーナ３０ａを覆うように配置された回転可能なカラー３６ａがあり、通路内へのカテーテル１２ａの配置を許容するために、通路２０ａと実質的に整列されて貫通する開口したポート３８ａを備えている。好ましくは、ポート３８ａを通る通路２０ａヘのカテーテル１２ａの配置を容易にするため、開口したポート３８ａは、テーパを有するポート領域３９ａを有している。
【００４７】
カラー３６ａは、基端側に向けて隆起部４０ａを有しており、シリンダの形態をとるこの実施形態において、それは図８に最も明らかに示されるように可撓性突出部３４ａに係合するために配置されると共に、図６に最も明らかに示されるように、カラー３６ａが本体１４ａに関して第１の位置にあり、かくてリテーナ３０ａの可撓性突出部の末端側への撓みを防止するために配置されている。
【００４８】
加えて、隆起部４０ａは、図７に最も明らかに示されるように、カラー３６ａが第２の位置へと回転した時、リテーナ３０ａから離れたカラー３６ａを末端側へと引き抜くことによって、可撓性を有する突出部３４ａに係合されないように配設されており、それによって突出部３４ａの末端側への屈曲とアダプター１０からのカテーテル１２の引き抜きを許容している。
【００４９】
この実施形態において、カラー３６ａは雌ねじ６０を有し、リテーナ３０ａは雄ねじ６２を有している。好ましくは、ねじキャビティ６０と６２は、隆起部４０ａと突出部３４ａとの間の接触が実質的に排除するのに十分な量以上にカラー３６ａが回転されるのを防止するため、ストッパ６４を含んでいる。
【００５０】
ストッパ６４は、好ましくは、第１の位置と第２の位置との間での回転のための力が第２の位置と第１の位置との間の回転のための力より実質的に小さくなるような寸法付けかつ形状付けがなされる。それによってアダプターの不用意な再利用を実質的に阻止するようになっている。
【００５１】
【発明の効果】
本発明は、カテーテルに液体操作装置を取付けるためのアダプターの使用の簡易化を医療従事者に提供するものである。また、本発明のアダプターによれば、従来のアダプターのような取付けのために多くの操作を要求されず、しかも迅速かつ感覚的に取り外しができると共に、実質的に不用意な再利用を阻止することができる。
【図面の簡単な説明】
【図１】カテーテルを受け入れるために位置された本発明のアダプターを示す斜視図である。
【図２】カテーテルが通路に位置された図１のアダプターを示す斜視図である。
【図３】図２の３−３線に沿う本発明のアダプターの断面図である。
【図４】一部を引き抜いたカテーテルと共に発明のアダプターを示す図３に示すものと同様の断面図である。
【図５】（ａ）は、図１の５ａ‐５ａ線に沿って図１から断面した本発明のアダプターを示す断面図であり、（ｂ）は、（ａ）と同様に、図１の５ｂ−５ｂ線に沿って断面された本発明のアダプターの異なる方向から見た断面図である。
【図６】本発明のアダプターの各実施形態における図３と同様の縦断面図である。
【図７】一部を引き抜いたカテーテルと共に図６に示したアダプターの図４と同様の縦断面図である。
【図８】図６及び図７に示したアダプターの図５ａ及び図５ｂと同様の断面図である。
【符号の説明】
１０  アダプター
１２  カテーテル
１４  本体
１６  基端部
１８  末端部
２０  通路
２２  カテーテルシート
２４  キャビティ
２６  ガスケット
３０  リテーナ
３２  開口
３４  可撓性突出部
３６  カラー
３８  ポート
４０  隆起部
【図１】
0004354564.tif 000002
【図２】
0004354564.tif 000003
【図３】
0004354564.tif 000004
【図４】
0004354564.tif 000005
【図５】
0004354564.tif 000006
【図６】
0004354564.tif 000007
【図７】
0004354564.tif 000008
【図８】
0004354564.tif 000009